【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
行状に配された複数の走査線、列状に配された複数の映像信号線、及び、行列状に配された表示素子を備えており、
表示素子は、発光部と、サンプリング用トランジスタと、駆動用トランジスタと、保持容量とを含み、
サンプリング用トランジスタと駆動用トランジスタとは、それぞれ、ゲートと、ソース及びドレインの一方と、ソース及びドレインの他方とを備えており、
サンプリング用トランジスタにあっては、ゲートは走査線に接続されており、ソース及びドレインの一方は映像信号線に接続されており、
駆動用トランジスタにあっては、ゲートはサンプリング用トランジスタのソース及びドレインの他方と保持容量の一端とに接続されており、ソース及びドレインの一方は発光部の一端と保持容量の他端とに接続されている表示装置の駆動方法であって、
映像信号線には、基準電位と信号電位とが供給され、
駆動用トランジスタのソース及びドレインの他方に供給される電源電圧を所定の電位とした状態で、映像信号線の電位が信号電位にある第１期間内に、第１期間よりも短い第２期間の間、制御信号を走査線に供給してサンプリング用トランジスタを導通状態とし、以て、映像信号線から信号電位を駆動用トランジスタのゲートに印加する工程を備えている表示装置の駆動方法。
【請求項２】
第２期間の終了と共に走査線への制御信号の供給が停止され、サンプリング用トランジスタが導通状態から非導通状態となることによって、駆動用トランジスタのゲート−ソース間電圧の値に応じたドレイン電流を発光部に流す請求項１に記載の表示装置の駆動方法。
【請求項３】
第２期間において駆動用トランジスタのソース及びドレインの一方の電位が変化することによって、駆動用トランジスタのゲート−ソース間電圧の値が補正される請求項２に記載の表示装置の駆動方法。
【請求項４】
前記工程の前に、
電源電圧を、所定の電位から、基準電位から第２電位を減じた差が駆動用トランジスタの閾電圧を超える第２電位に切り換え、次いで、映像信号線の電位が基準電位にある期間内に、走査線に別の制御信号を供給してサンプリング用トランジスタを導通状態として基準電位を駆動用トランジスタのゲートに印加し、以て、駆動用トランジスタのゲート電位とソース及びドレインの一方の電位とを初期化し、その後、電源電圧を第２電位から所定の電位に切り換えることによって、駆動用トランジスタのソース及びドレインの一方の電位を基準電位から駆動用トランジスタの閾電圧を減じた電位に向かって近づけ、次いで、走査線への別の制御信号の供給を停止する請求項１に記載の表示装置の駆動方法。
【請求項５】
前記工程の前に、
映像信号線の電位が基準電位にある期間内に、走査線に別の制御信号を供給してサンプリング用トランジスタを導通状態として基準電位を駆動用トランジスタのゲートに印加し、次いで、電源電圧を、所定の電位から、基準電位から第２電位を減じた差が駆動用トランジスタの閾電圧を超える第２電位に切り換え、以て、駆動用トランジスタのゲート電位とソース及びドレインの一方の電位とを初期化し、その後、電源電圧を第２電位から所定の電位に切り換えることによって、駆動用トランジスタのソース及びドレインの一方の電位を基準電位から駆動用トランジスタの閾電圧を減じた電位に向かって近づけ、次いで、走査線への別の制御信号の供給を停止する請求項１に記載の表示装置の駆動方法。
【請求項６】
行状に配された複数の走査線、列状に配された複数の映像信号線、及び、行列状に配された表示素子を備えており、
表示素子は、発光部と、サンプリング用トランジスタと、駆動用トランジスタと、保持容量とを含み、
サンプリング用トランジスタと駆動用トランジスタとは、それぞれ、ゲートと、ソース及びドレインの一方と、ソース及びドレインの他方とを備えており、
サンプリング用トランジスタにあっては、ゲートは走査線に接続されており、ソース及びドレインの一方は映像信号線に接続されており、
駆動用トランジスタにあっては、ゲートはサンプリング用トランジスタのソース及びドレインの他方と保持容量の一端とに接続されており、ソース及びドレインの一方は発光部の一端と保持容量の他端とに接続されている表示装置であって、
映像信号線には、基準電位と信号電位とが供給され、
駆動用トランジスタのソース及びドレインの他方に供給される電源電圧が所定の電位とされた状態で、映像信号線の電位が信号電位にある第１期間内に、第１期間よりも短い第２期間の間、制御信号が走査線に供給されてサンプリング用トランジスタが導通状態とされ、以て、映像信号線から信号電位が駆動用トランジスタのゲートに印加される表示装置。
【請求項７】
発光部と、サンプリング用トランジスタと、駆動用トランジスタと、保持容量とを含み、
サンプリング用トランジスタと駆動用トランジスタとは、それぞれ、ゲートと、ソース及びドレインの一方と、ソース及びドレインの他方とを備えており、
駆動用トランジスタにあっては、ゲートはサンプリング用トランジスタのソース及びドレインの他方と保持容量の一端とに接続されており、ソース及びドレインの一方は発光部の一端と保持容量の他端とに接続されている表示素子の駆動方法であって、
サンプリング用トランジスタのソース及びドレインの一方には、基準電位と信号電位とが供給され、
駆動用トランジスタのソース及びドレインの他方に供給される電源電圧を所定の電位とした状態で、サンプリング用トランジスタのソース及びドレインの一方の電位が信号電位にある第１期間内に、第１期間よりも短い第２期間の間、制御信号をサンプリング用トランジスタのゲートに供給してサンプリング用トランジスタを導通状態とし、以て、信号電位を駆動用トランジスタのゲートに印加する工程を備えている表示素子の駆動方法。
【請求項８】
第２期間の終了と共にサンプリング用トランジスタのゲートへの制御信号の供給が停止され、サンプリング用トランジスタが導通状態から非導通状態となることによって、駆動用トランジスタのゲート−ソース間電圧の値に応じたドレイン電流を発光部に流す請求項７に記載の表示素子の駆動方法。
【請求項９】
第２期間において駆動用トランジスタのソース及びドレインの一方の電位が変化することによって、駆動用トランジスタのゲート−ソース間電圧の値が補正される請求項８に記載の表示素子の駆動方法。
【請求項１０】
前記工程の前に、
電源電圧を、所定の電位から、基準電位から第２電位を減じた差が駆動用トランジスタの閾電圧を超える第２電位に切り換え、次いで、サンプリング用トランジスタのソース及びドレインの一方の電位が基準電位にある期間内に、サンプリング用トランジスタのゲートに別の制御信号を供給してサンプリング用トランジスタを導通状態として基準電位を駆動用トランジスタのゲートに印加し、以て、駆動用トランジスタのゲート電位とソース及びドレインの一方の電位とを初期化し、その後、電源電圧を第２電位から所定の電位に切り換えることによって、駆動用トランジスタのソース及びドレインの一方の電位を基準電位から駆動用トランジスタの閾電圧を減じた電位に向かって近づけ、次いで、サンプリング用トランジスタのゲートへの別の制御信号の供給を停止する請求項７に記載の表示素子の駆動方法。
【請求項１１】
前記工程の前に、
サンプリング用トランジスタのソース及びドレインの一方の電位が基準電位にある期間内に、サンプリング用トランジスタのゲートに別の制御信号を供給してサンプリング用トランジスタを導通状態として基準電位を駆動用トランジスタのゲートに印加し、次いで、電源電圧を、所定の電位から、基準電位から第２電位を減じた差が駆動用トランジスタの閾電圧を超える第２電位に切り換え、以て、駆動用トランジスタのゲート電位とソース及びドレインの一方の電位とを初期化し、その後、電源電圧を第２電位から所定の電位に切り換えることによって、駆動用トランジスタのソース及びドレインの一方の電位を基準電位から駆動用トランジスタの閾電圧を減じた電位に向かって近づけ、次いで、サンプリング用トランジスタのゲートへの別の制御信号の供給を停止する請求項７に記載の表示素子の駆動方法。
【請求項１２】
発光部と、サンプリング用トランジスタと、駆動用トランジスタと、保持容量とを含み、
サンプリング用トランジスタと駆動用トランジスタとは、それぞれ、ゲートと、ソース及びドレインの一方と、ソース及びドレインの他方とを備えており、
駆動用トランジスタにあっては、ゲートはサンプリング用トランジスタのソース及びドレインの他方と保持容量の一端とに接続されており、ソース及びドレインの一方は発光部の一端と保持容量の他端とに接続されている表示素子であって、
サンプリング用トランジスタのソース及びドレインの一方には、基準電位と信号電位とが供給され、
駆動用トランジスタのソース及びドレインの他方に供給される電源電圧が所定の電位とされた状態で、サンプリング用トランジスタのソース及びドレインの一方の電位が信号電位にある第１期間内に、第１期間よりも短い第２期間の間、制御信号がサンプリング用トランジスタのゲートに供給されてサンプリング用トランジスタが導通状態とされ、以て、信号電位が駆動用トランジスタのゲートに印加される表示素子。
【手続補正２】
【補正対象書類名】明細書
【補正対象項目名】発明の名称
【補正方法】変更
【補正の内容】
【発明の名称】表示素子及び表示素子の駆動方法、並びに、表示装置及び表示装置の駆動方法
【手続補正３】
【補正対象書類名】明細書
【補正対象項目名】０００１
【補正方法】変更
【補正の内容】
【０００１】
本発明は、表示素子及びその駆動方法、並びに、表示素子を画素に用いたアクティブマトリクス型の表示装置及びその駆動方法に関する。
【手続補正４】
【補正対象書類名】明細書
【補正対象項目名】０００５
【補正方法】変更
【補正の内容】
【０００５】
上述した従来の技術の課題に鑑み、本発明は画素回路の簡素化によりディスプレイの高精細化を可能にした表示装置及びその駆動方法を提供することを一般的な目的とする。特に、配線容量や配線抵抗に起因する制御パルスや映像信号の伝播遅延あるいは波形劣化に関わらず、映像信号のサンプリング動作や補正機能を確実に行うことの出来る表示装置及びその駆動方法を提供することを目的とする。かかる目的を達成するために以下の手段を講じた。即ち、本発明にかかる表示装置は、基本的に画素アレイ部とこれを駆動する駆動部とから成る。前記画素アレイ部は、行状の走査線と、列状の映像信号線と、両者が交差する部分に配された行列状の画素（表示素子）と、画素の各行に対応して配された電源供給線とを備えている。前記駆動部は、各走査線に順次制御信号を供給して画素を行単位で線順次走査する主スキャナと、該線順次走査に合わせて各電源供給線に所定の電位（以下、第１電位と呼ぶ）と第２電位とに切り換わる電源電圧を供給する電源スキャナと、該線順次走査に合わせて列状の映像信号線に映像信号となる信号電位と、基準電位とを供給する信号セレクタとを備えている。前記画素は、発光部と、サンプリング用トランジスタと、駆動用トランジスタと、保持容量とを含む。前記サンプリング用トランジスタは、そのゲートが該走査線に接続されており、そのソース及びドレインの一方が該映像信号線に接続されており、他方が該駆動用トランジスタのゲートに接続されており、前記駆動用トランジスタは、そのソース及びドレインの一方が該発光部に接続されており、他方が該電源供給線に接続されており、前記保持容量は、該駆動用トランジスタのソースとゲートの間に接続されている。前記サンプリング用トランジスタは、該走査線から供給された制御信号に応じて導通し、該映像信号線から供給された信号電位をサンプリングして該保持容量に保持する。前記駆動用トランジスタは、第１電位にある該電源供給線から電流の供給を受け該保持された信号電位に応じて駆動電流を該発光部に流す。前記主スキャナは、該映像信号線が信号電位にある時間帯（第１期間内）に該サンプリング用トランジスタを導通状態にするため、該時間帯よりパルス幅の短い第２期間の間、該制御信号を該走査線に出力（供給）し、以って、前記保持容量に信号電位を保持する際該駆動用トランジスタの移動度に対する補正を信号電位に加えることを特徴とする。
【手続補正５】
【補正対象書類名】明細書
【補正対象項目名】００１９
【補正方法】変更
【補正の内容】
【００１９】
この後、移動度補正の為の準備期間（Ｆ）及び（Ｇ）を経て、サンプリング期間／移動度補正期間（Ｈ）、即ち、第２期間に進む。ここで、映像信号の信号電位ＶinがＶthに足し込まれる形で保持容量３Ｃに書き込まれると共に、移動度補正用の電圧ΔＶが保持容量３Ｃに保持された電圧から差し引かれる。このサンプリング期間／移動度補正期間（Ｈ）では、映像信号線ＤＴＬ１０１が信号電位Ｖinにある時間帯（第１期間内）にサンプリング用トランジスタ３Ａを導通状態にするため、この時間帯よりパルス幅の短い第２期間の間、制御信号を走査線ＷＳＬ１０１に出力し、以って、保持容量３Ｃに信号電位Ｖinを保持する際、駆動用トランジスタ３Ｂの移動度μに対する補正を信号電位Ｖinに加えている。
【手続補正６】
【補正対象書類名】明細書
【補正対象項目名】００２０
【補正方法】変更
【補正の内容】
【００２０】
この後、発光期間（Ｉ）に進み、信号電位Ｖinに応じた輝度で発光部が発光する。その際、信号電位Ｖinは閾電圧Ｖthに相当する電圧と移動度補正用の電圧ΔＶとによって調整されているため、発光部３Ｄの発光輝度は駆動用トランジスタ３Ｂの閾電圧Ｖthや移動度μのばらつきの影響を受けることはない。尚、発光期間（Ｉ）の最初でブートストラップ動作が行われ、駆動用トランジスタ３Ｂのゲート−ソース間電圧Ｖgs＝Ｖin−Ｖo＋Ｖth−ΔＶを一定に維持したまま、駆動用トランジスタ３Ｂのゲート電位Ｖg及びソース電位Ｖsが上昇する。
【手続補正７】
【補正対象書類名】明細書
【補正対象項目名】００２７
【補正方法】変更
【補正の内容】
【００２７】
サンプリング期間／移動度補正期間（Ｈ）に入ると、図４Ｈに示すように、走査線ＷＳＬ１０１が高電位側に遷移して、サンプリング用トランジスタ３Ａがオン状態となる。したがって、駆動用トランジスタ３ｂのゲート電位Ｖgは信号電位Ｖinとなる。ここで、発光部３Ｄは始めカットオフ状態（ハイインピーダンス状態）にあるため、駆動用トランジスタ３Ｂのドレイン電流Ｉdsは発光部の容量成分３Ｉに流れ込み、充電を開始する。したがって、駆動用トランジスタ３Ｂのソース電位Ｖsは上昇を開始し、やがて、駆動用トランジスタ３Ｂのゲート−ソース間電圧Ｖgsは、Ｖin−Ｖo＋Ｖth−ΔＶとなる。このようにして、信号電位Ｖinのサンプリングと補正量ΔＶの調整が同時に行われる。Ｖinが高いほどＩdsは大きくなり、ΔＶの絶対値も大きくなる。したがって、発光輝度レベルに応じた移動度補正が行われる。Ｖinを一定とした場合、駆動用トランジスタ３Ｂの移動度μが大きいほどΔＶの絶対値が大きくなる。換言すると、移動度μが大きいほど負帰還量ΔＶが大きくなるので、画素ごとの移動度μのばらつきを取り除くことが出来る。
【手続補正８】
【補正対象書類名】明細書
【補正対象項目名】００２８
【補正方法】変更
【補正の内容】
【００２８】
最後に、発光期間（Ｉ）になると、図４Ｉに示すように、走査線ＷＳＬ１０１が低電位側に遷移し、サンプリング用トランジスタ３Ａはオフ状態となる。これにより、駆動用トランジスタ３Ｂのゲートｇは映像信号線ＤＴＬ１０１から切り離される。同時にドレイン電流Ｉdsが発光部３Ｄを流れ始める。これにより、発光部３Ｄのアノード電位は駆動電流Ｉdsに応じて上昇する。上昇量をＶelと表す。発光部３Ｄのアノード電位の上昇は、即ち、駆動用トランジスタ３Ｂのソース電位Ｖsの上昇に他ならない。駆動用トランジスタ３Ｂのソース電位Ｖsが上昇すると、保持容量３Ｃのブートストラップ動作により、駆動用トランジスタ３Ｂのゲート電位Ｖgも連動して上昇する。ゲート電位Ｖgの上昇量はソース電位Ｖsの上昇量に等しくなる。故に、発光期間中、駆動用トランジスタ３Ｂのゲート−ソース間電圧Ｖgsは、Ｖin−Ｖo＋Ｖth−ΔＶで一定に保持される。
【手続補正９】
【補正対象書類名】明細書
【補正対象項目名】００３８
【補正方法】変更
【補正の内容】
【００３８】
次に、サンプリング期間／移動度補正期間（Ｆ）に進むと、図７Ｆに示すように、第１のタイミングで映像信号線ＤＴＬ１０１の電位が基準電位Ｖoから信号電位Ｖinに遷移し、駆動用トランジスタ３Ｂのゲート電位ＶgはＶinとなる。このとき発光部３Ｄは始めカットオフ状態（ハイインピーダンス状態）にあるため駆動用トランジスタ３Ｂのドレイン電流Ｉdsは発光部の容量成分３Ｉに流れ込む。これにより、発光部の容量成分３Ｉは充電を開始する。よって駆動用トランジスタ３Ｂのソース電位Ｖsは上昇を開始し、第２のタイミングで駆動用トランジスタ３Ｂのゲート−ソース間電圧Ｖgsは、Ｖin−Ｖo＋Ｖth−ΔＶとなる。このようにして信号電位Ｖinのサンプリングと補正量ΔＶの調整が行われる。Ｖinが高いほどＩdsは大きくなり、ΔＶの絶対値も大きくなる。したがって、発光輝度レベルに応じた移動度補正が行える。また、Ｖinを一定とした場合、駆動用トランジスタ３Ｂの移動度μが大きいほどΔＶの絶対値も大きくなる。換言すると、移動度μが大きいほど負帰還量ΔＶが大きくなるので、画素ごとの移動度μのばらつきを取り除くことが可能である。
【手続補正１０】
【補正対象書類名】明細書
【補正対象項目名】００３９
【補正方法】変更
【補正の内容】
【００３９】
最後に発光期間（Ｇ）になると、図７Ｇに示すように、走査線ＷＳＬ１０１が低電位側に遷移し、サンプリング用トランジスタ３Ａはオフ状態となる。これにより、駆動用トランジスタ３Ｂのゲートｇは映像信号線ＤＴＬ１０１から切り離される。同時にドレイン電流Ｉdsが発光部３Ｄを流れ始める。これにより、発光部３Ｄのアノード電位は駆動電流Ｉdsに応じて上昇する。上昇量をＶelと表す。発光部３Ｄのアノード電位の上昇は、即ち、駆動用トランジスタ３Ｂのソース電位Ｖsの上昇に他ならない。駆動用トランジスタ３Ｂのソース電位Ｖsが上昇すると、保持容量３Ｃのブートストラップ動作により、駆動用トランジスタ３Ｂのゲート電位Ｖgも連動して上昇する。ゲート電位Ｖgの上昇量はソース電位Ｖsの上昇量Ｖelに等しくなる。故に、発光期間中駆動用トランジスタ３Ｂのゲート−ソース間電圧ＶgsはＶin−Ｖo＋Ｖth−ΔＶで一定に保持される。
【手続補正１１】
【補正対象書類名】明細書
【補正対象項目名】００４１
【補正方法】変更
【補正の内容】
【００４１】
最後に図９〜図１１Ｃを参照して閾電圧補正動作、移動度補正動作及びブートストラップ動作につき更に説明する。図９は、駆動用トランジスタの電流電圧特性を示すグラフである。特に、駆動用トランジスタが飽和領域で動作しているときのドレイン−ソース間電流（ドレイン電流）Ｉdsは、Ｉds＝（１／２）・μ・（Ｗ／Ｌ）・Ｃox・（Ｖgs−Ｖth）2で表される。ここで、μは移動度を示し、Ｗはゲート幅を表し、Ｌはゲート長を表し、Ｃoxは単位面積あたりのゲート酸化膜容量を示す。このトランジスタ特性式から明らかなように、閾電圧Ｖthが変動すると、Ｖgsが一定であっても、ドレイン−ソース間電流Ｉdsが変動する。ここで、本発明にかかる画素は、前述したように発光時のゲート−ソース間電圧ＶgsがＶin−Ｖo＋Ｖth−ΔＶで表されるため、これを上述のトランジスタ特性式に代入すると、ドレイン−ソース間電流Ｉdsは、Ｉds＝（１／２）・μ・（Ｗ／Ｌ）・Ｃox・（Ｖin−Ｖo−ΔＶ）2で表されることになり、閾電圧Ｖthに依存しない。結果として、閾電圧Ｖthが製造プロセスにより変動しても、ドレイン−ソース間電流Ｉdsは変動せず、有機ＥＬデバイスの発光輝度も変動しない。
【手続補正１２】
【補正対象書類名】明細書
【補正対象項目名】００４４
【補正方法】変更
【補正の内容】
【００４４】
図１０Ｂは、映像信号線電位のサンプリング時及び移動度補正時における画素の動作を説明するもので、理解を容易にするため、発光部３Ｄの容量成分３Ｉも表してある。映像信号線電位のサンプリング時、サンプリング用トランジスタ３Ａはオン状態であるため、駆動用トランジスタ３Ｂのゲート電位Ｖgは映像信号線電位Ｖinとなり、駆動用トランジスタ３Ｂのゲート−ソース間電圧ＶgsはＶin−Ｖo＋Ｖthになる。このとき、駆動用トランジスタ３Ｂはオン状態となり、さらに、発光部３Ｄはカットオフ状態であるため、ドレイン−ソース間電流Ｉdsが発光部の容量成分３Ｉに流れ込む。ドレイン−ソース間電流Ｉdsが発光部の容量成分３Ｉに流れ込むと、発光部の容量成分３Ｉは充電を開始し、発光部３Ｄのアノード電位（したがって、駆動用トランジスタ３Ｂのソース電位Ｖs）が上昇を開始する。駆動用トランジスタ３Ｂのソース電位ＶsがΔＶだけ上昇すると、駆動用トランジスタ３Ｂのゲート−ソース間電圧ＶgsはΔＶだけ減少する。これが負帰還による移動度補正動作であり、ゲート−ソース間電圧Ｖgsの減少量ΔＶは、ΔＶ＝Ｉds・ｔ／Ｃelで決定され、ΔＶが移動度補正のためのパラメータとなる。ここで、Ｃelは発光部の容量成分３Ｉの容量値を示し、ｔは移動度補正期間を示す。
【手続補正１３】
【補正対象書類名】明細書
【補正対象項目名】００４７
【補正方法】変更
【補正の内容】
【００４７】
図１１Ｂは、発光部３Ｄのアノード電位上昇時における駆動用トランジスタ３Ｂのゲート電位Ｖgとソース電位Ｖsの電位変動を示すグラフである。発光部３Ｄのアノード上昇電圧がＶelのとき、駆動用トランジスタ３ＢのソースもＶelだけ上昇し、保持容量３Ｃのブートストラップ動作により駆動用トランジスタ３ＢのゲートもＶel分上昇する。この為、ブートストラップ前に保持された駆動用トランジスタ３Ｂのゲート−ソース間電圧Ｖgs＝Ｖin−Ｖo＋Ｖth−ΔＶは、ブートストラップ後もそのまま保持される。また、発光部３Ｄの経時劣化によりそのアノード電位が変動しても、駆動用トランジスタ３Ｂのゲート−ソース間電圧は常にＶin−Ｖo＋Ｖth−ΔＶで一定に保持される。
【手続補正１４】
【補正対象書類名】図面
【補正対象項目名】図４Ａ
【補正方法】変更
【補正の内容】
【図４Ａ】
2008032863.tif 000001
【手続補正１５】
【補正対象書類名】図面
【補正対象項目名】図４Ｈ
【補正方法】変更
【補正の内容】
【図４Ｈ】
2008032863.tif 000002
【手続補正１６】
【補正対象書類名】図面
【補正対象項目名】図４Ｉ
【補正方法】変更
【補正の内容】
【図４Ｉ】
2008032863.tif 000003
【手続補正１７】
【補正対象書類名】図面
【補正対象項目名】図７Ａ
【補正方法】変更
【補正の内容】
【図７Ａ】
2008032863.tif 000004
【手続補正１８】
【補正対象書類名】図面
【補正対象項目名】図７Ｆ
【補正方法】変更
【補正の内容】
【図７Ｆ】
2008032863.tif 000005
【手続補正１９】
【補正対象書類名】図面
【補正対象項目名】図７Ｇ
【補正方法】変更
【補正の内容】
【図７Ｇ】
2008032863.tif 000006
【手続補正２０】
【補正対象書類名】図面
【補正対象項目名】図１０Ｂ
【補正方法】変更
【補正の内容】
【図１０Ｂ】
2008032863.tif 000007
【手続補正２１】
【補正対象書類名】図面
【補正対象項目名】図１１Ｂ
【補正方法】変更
【補正の内容】
【図１１Ｂ】
2008032863.tif 000008